(57)【要約】【課題】  騒音を低減させた電気掃除機の吸口体及びこの吸口体を用いた電気掃除機を提供することにある。の塵埃を吸引する流量が低下し，集塵性能が低下する恐れがあった。【解決手段】被清掃面を清掃するための吸口体本体と前記吸口体本体と回動可能に設けられた吸口継手体を有する電気掃除機の吸口体において，前記吸口体本体と前記吸口継手体との摺擦部分に弾性体を設けた。【選択図】  図８
2014008304.tif 000002
【特許請求の範囲】
【請求項１】
被清掃面を清掃するための吸口体本体と前記吸口体本体と回動可能に設けられた吸口継手体を有する電気掃除機の吸口体において，
前記吸口体本体と前記吸口継手体との摺擦部分に弾性体を設けたことを特徴とする電気掃除機の吸口体。
【請求項２】
被清掃面を清掃するための吸口体本体と、前記吸口体本体と回動可能となるよう設けられた吸口継手体を有する電気掃除機の吸口体において，
前記吸口体本体と前記吸口継手体との隙間からの空気洩れを防ぐためにシャッター部材を設け，
前記吸口体本体と前記吸口継手体との摺擦部分および／または前記吸口継手体と前記シャッター部材との摺擦部分に弾性体を設けたことを特徴とする電気掃除機の吸口体。
【請求項３】
請求項１または２に記載の電気掃除機の吸口体において，
前記弾性体は，静電植毛加工により植毛された繊維部材であることを特徴とする電気掃除機の吸口体。
【発明の詳細な説明】
【技術分野】
【０００１】
本発明は，電気掃除機の吸口体に関する。
【背景技術】
【０００２】
現在一般的な電気掃除機は，集塵装置を備えた掃除機本体と，床面の塵埃を吸引する床用吸口体と，この掃除機本体と床用吸口体とを延長管や吸引ホースで連結した床移動型と呼ばれる構造のものである。この床移動型の掃除機本体は，その内部に集塵装置と電動送風機を備え，車輪を介して自在に移動可能な構造となっている。一方，吸口体は，床面を清掃するために，その内部に回転ブラシとその駆動部（電動機）を備え，駆動部（電動機）によりこの回転ブラシを回転させることで，床面の塵埃を掻きあげて，これを吸引する構造となっている。また、吸口体には、延長管等と接続するための吸口継手が設けられている。
【０００３】
近年，電気掃除機において，ベッドの下などを掃除できるように，吸口継手およびこれに接続された延長管を床面と平行になるまで低くすることができ，吸口継手および延長管を略垂直の角度に起こすことができる吸口体が提案されている。このような吸口体では，吸口継手を直立させると吸口継手の下部に隙間が生じるため，この隙間からの空気洩れを防ぐためにシャッターが設けられている事が一般的であった（特許文献１）。
【先行技術文献】
【特許文献】
【０００４】
【特許文献１】特開２００６−２６１７０号公報
【発明の概要】
【発明が解決しようとする課題】
【０００５】
特許文献１に記載のような吸口体では、吸口継手が回動するため，吸口体本体と吸口継手の間や，吸口継手とシャッターの間で摺擦する部分を有している。この摺擦部分には隙間を設けているが，吸口体特有の問題として，ゴミとして吸引した砂粒がこの隙間に噛みこまれ，吸口継手の回動動作が出来なくなる恐れがあるため，この隙間をある程度大きくする必要があった。そのため，この隙間から空気漏れ音が発生し，吸口体の騒音が大きくなる恐れがあった。
【０００６】
また，空気の漏れがあるので，床面の塵埃を吸引する流量が低下し，集塵性能が低下する恐れがあった。
【０００７】
本発明の目的は，騒音を低減させた電気掃除機の吸口体及びこの吸口体を用いた電気掃除機を提供することにある。
【課題を解決するための手段】
【０００８】
前記課題を解決するために，吸口体本体と吸口継手の間や，吸口継手とシャッターの間で摺擦する部分に静電植毛等の弾性部材を設けることを特徴とする。
【発明の効果】
【０００９】
本発明によれば，吸口体本体と吸口継手の間や，吸口継手とシャッターの間で摺擦する部分に静電植毛等の弾性部材を設けているので，ゴミとして吸引した砂粒がこの摺擦する部分に噛みこまれる事がなく，摺擦する部分の隙間を小さくする効果があるため，この摺擦する部分から空気漏れ音が低下し，吸口体の騒音を小さくできるという効果がある。よって、本発明によれば、騒音を低減させた電気掃除機の吸口体及びこの吸口体を用いた電気掃除機を提供することができる。
【図面の簡単な説明】
【００１０】
【図１】本形態例による電気掃除機の外観図。
【図２】本形態例による電気掃除機の吸口体の上面斜視図。
【図３】本形態例による電気掃除機の吸口体の背面斜視図。
【図４】本形態例による電気掃除機の吸口体の底面図。
【図５】本形態例による電気掃除機の吸口体の中央断面図。
【図６】本形態例による電気掃除機の吸口体の側面図。
【図７】本形態例による電気掃除機の吸口体の分解図。
【図８】本形態例による電気掃除機の吸口体の中央断面図拡大図。
【図９】本形態例による電気掃除機の吸口体の中央断面図拡大図。
【図１０】本形態例による電気掃除機の吸口体の背面図。
【図１１】本形態例による電気掃除機の吸口体の継手部の背面図。
【図１２】本形態例による吸口体の回動シャッターの下面図。
【図１３】本発明の他の形態例による吸口体の回動シャッターの上面図。
【図１４】本発明の他の形態例による吸口体の断面図。
【発明を実施するための形態】
【００１１】
本発明の実施例について，図面を引用して説明する。
【００１２】
図１に本発明による電気掃除機の外観図を示す。図１において，１０１は電気掃除機本体，１０２は吸引ホース，１０３は手元ハンドル，１０４は操作部，１０５は延長管，１０６は吸口体を示している。図示してはいないが，電気掃除機本体１０１の外郭を形成する本体ケーシングの内側には，吸引力を発生する電動送風機と，塵埃を集塵する集塵室が設けられており，電動送風機の吸引側に集塵室が設けられている。なお，図示してはいないが，吸引ホース１０２および延長管１０５には，吸口体１０６に電力を供給する電源線を設けてある。
【００１３】
図２に本形態例による電気掃除機の吸口体１０６の上面斜視図を示す。図２において，２０１は吸口体上ケース，２０２は内部に塵埃を含む空気の通気路を有す自在継手管Ａ（上腕部），２０３は内部に塵埃を含む空気の通気路を有す自在継手管Ｂ（下腕部），２０４〜２０５は吸口体内のブラシ駆動用電動機に電力を供給するための接触ピンである。
【００１４】
図３に本形態例による電気掃除機の吸口体の背面斜視図を示す。図３において，３０１は継手回動時に流路を形成する回動シャッター，３０２は後方吸口車輪である。
【００１５】
図４に本形態例による電気掃除機の吸口体の底面図を示す。図４において，４０１は吸口体下ケース，４０２は回転ブラシ，４０３はブラシ駆動スイッチである。ブラシ駆動スイッチ４０３は車輪を備え，この車輪が常に吸口体１０６の底面から飛び出すようにバネ（図示せず）を介して取り付けられる。そしてこのブラシ駆動スイッチ４０３は，車輪が飛び出しているときは回転ブラシ４０２の回転をＯＦＦ状態とし，車輪が床面などに触れて吸口体１０６内に収納されると回転ブラシ４０２の回転をＯＮ状態とすることにより安全性を高めている。なお，吸口体１０６の後端部には後方車輪３０２を設けており，これらが手元ハンドル１０３で操作される前後動や回転操作の応力を受けて，吸口体１０６の底面を床面に密着させて，吸口体１０６の操作性能を向上させている。
図５に本形態例による電気掃除機の吸口体１０６の中央断面図を示す。図５において，５０１は回転ブラシ４０２を収納するブラシ室である。
【００１６】
ブラシ室５０１と延長管１０５は，内部に塵埃を含む空気の通気路を有す自在継手管Ａ２０２と自在継手管Ｂ２０３を介して連通している。回転ブラシ４０２により巻き上げられた塵埃は，矢印５０２で示す流路を通って，延長管１０５へ運ばれ，さらに吸引ホース１０２を通って電気掃除機本体１０１の集塵室に運ばれる。
また，自在継手管Ａ２０２は，管状の一端を吸口体１０６とＹ軸回転連結部５０３を介して連結され，他の一端は自在継手管Ｂ２０３の一端とＸ軸回転連結部５０４を介して連結される。また，自在継手管Ｂ２０３の他の一端は，延長管１０５と連結可能な構造としている。そして，Ｘ軸回転連結部５０４は回転可能に連結され，更に，Ｙ軸回転連結部５０３は吸口体１０６に連結される。
【００１７】
本形態例では，回転軸Ｙを吸口体１０６の長手方向と平行な回転軸とすることで，高低方向の回転を可能とし，この回転軸Ｙと直交する垂直回転軸Ｘにより左右方向の回転を可能にしている。この直交する２つの回転軸を備えた自在継手管ＡおよびＢを介して吸口体１０６と延長管１０５とを連結することにより，手元ハンドル１０３のひねり動作で，この吸口体１０６を床面（清掃面）に対して回転させることができる。
【００１８】
図６に示す様に，自在継手管Ａ２０２および自在継手管Ｂ２０３は，回転軸Ｙを中心として，床面に対して略垂直状態から略水平状態まで，回転可能となっている。これにより，吸口体１０６を壁際に沿わせて移動させたり，吸口体１０６をベッドの下等の奥まで移動させることが可能になり，使い勝手を向上させている。
【００１９】
図７に，吸口体の分解図を示す。図７において，７０１はブラシ駆動用電動機，７０２はブラシ室５０１から自在継手管Ａ２０２までの流路を形成するための流路カバーＵ，７０３はブラシ室５０１から自在継手管Ａ２０２までの流路を形成するための流路カバーＬである。
【００２０】
図８に，自在継手管Ａ２０２を，回転軸Ｙを中心に略垂直状態にした状態の中央断面拡大図を示す。このとき回動シャッター３０１は，自在継手管Ａ２０２により引き出され，流路を形成する。ここで，８０１は吸口上ケース２０１と自在継手管Ａ２０２との摺擦部分，８０２は自在継手管Ａ２０２と回動シャッター３０１との摺擦部分，８０３は回動シャッター３０１と流路カバーＬ７０３との摺擦部分である。
【００２１】
図９に，自在継手管Ａ２０２を，回転軸Ｙを中心に略水平状態にした状態の中央断面拡大図を示す。このとき回動シャッター３０１は，自在継手管Ａ２０２により押し込まれ，流路を形成する。摺擦部分８０１，摺擦部分８０２および摺擦部分８０３には，静電植毛加工により短繊維を植毛している。そのため，砂噛みを防止しつつ，隙間からの空気の漏れを押さえ，流体音の増加を抑えることができる。また，空気の漏れが少なくなるので，ブラシ室から吸引される流量が増え，集塵性能が向上する効果もある。
【００２２】
図１０に，吸口継手部を取り外した状態での吸口体背面図を示す。図１０において，８０１は上ケース２０１の静電植毛部分である。
【００２３】
図１１に，吸口継手部の背面図を示す。図１１において，８０２は自在継手管Ａ２０２の静電植毛部分である。
【００２４】
図１２に，回動シャッター３０１の下面図を示す。図１２において，８０３は回動シャッター３０１の静電植毛部分である。
【００２５】
以下，図を用いて，この実施例に係る実施の形態の動作を詳細に説明する。
【００２６】
掃除機使用者が手元ハンドル１０３付近に配置された操作部１０４を操作すると，操作されたスイッチに従った動作モードで電気掃除機本体１０１内の電動送風機が運転する。
電動送風機によって発生した吸引力は，吸引ホース１０２，延長管１０５を通って吸口体１０６に到達する。それと同時に，吸引ホース１０２および延長管１０５に設けられた電源線から供給された電源が，接触ピン２０４，２０５を介してブラシ駆動用電動機７０１を駆動する。これにより回転ブラシ４０２が回転する。回転ブラシ４０２により巻き上げられた塵埃は，図５の矢印５０２で示す流路を通って，延長管１０５へ運ばれ，さらに吸引ホース１０２を通って電気掃除機本体１０１の集塵室に運ばれる。
【００２７】
図６に示す様に，自在継手管Ａ２０２および自在継手管Ｂ２０３は，回転軸Ｙを中心として，床面に対して略垂直状態から略水平状態まで，回転可能となっている。これにより，吸口体１０６を壁際に沿わせて移動させたり，吸口体１０６をベッドの下等の奥まで移動させることが可能になり，使い勝手を向上させている。この継手回動時に流路を形成するため本実施例では回動シャッター３０１を設けている。
【００２８】
摺擦部分８０１，摺擦部分８０２および摺擦部分８０３には，静電植毛を行っている。
そのため，砂噛みを防止しつつ，隙間からの空気の漏れを押さえ，流体音の増加を抑えることができる。また，空気の漏れが少なくなるので，ブラシ室から吸引される流量が増え，集塵性能が向上する効果もある。
【００２９】
ここでは，摺擦部分に静電植毛を行ったが，起毛布等の弾性体を張りつけても同様の効果が得られる。
【００３０】
また図１３に示す様に，回動シャッター３０１の上面部１３０１に静電植毛を行えば，自在継手管Ａ２０２の静電植毛部分８０２を無くすことができ，回動シャッター３０１の上面部１３０１と下面部８０３には同時に静電植毛加工ができるので，コストを抑えることができるという効果もある。また，回動シャッター３０１の上面部１３０１は面積が広いので，静電植毛した短繊維が抜けにくいという効果もある。
【００３１】
また図１４に示す様に，流路カバーＵ７０２，流路カバーＬ７０３，自在継手管Ａ２０２および自在継手管Ｂ２０３の流路内面全部もしくは一部に静電植毛を行うことにより，各部材のつなぎ目の隙間を塞ぐ事ができ，さらに漏れ低減できる効果がある。
また，流路内面に静電植毛を行うことにより，吸音効果による騒音低減も行うことができるという効果もある。
【符号の説明】
【００３２】
１０１  掃除機本体
１０２  吸引ホース
１０３  手元ハンドル
１０４  操作部
１０５  延長管
１０６  吸口体
２０２  自在継手管Ａ
２０３  自在継手管Ｂ
４０２  回転ブラシ（回転清掃体）
３０６  大車輪
５０１  ブラシ室
７０２  流路カバーＵ
７０３  流路カバーＬ
８０１  摺擦部分
８０２  摺擦部分
８０３  摺擦部分
１３０１  摺擦部分
【図１】
2014008304.tif 000003
【図２】
2014008304.tif 000004
【図３】
2014008304.tif 000005
【図４】
2014008304.tif 000006
【図５】
2014008304.tif 000007
【図６】
2014008304.tif 000008
【図７】
2014008304.tif 000009
【図８】
2014008304.tif 000010
【図９】
2014008304.tif 000011
【図１０】
2014008304.tif 000012
【図１１】
2014008304.tif 000013
【図１２】
2014008304.tif 000014
【図１３】
2014008304.tif 000015
【図１４】
2014008304.tif 000016